(57)【要約】【課題】キャビティの気密を保持するＯ−リングの耐久性を向上でき、保守の容易なダイカスト装置を提供する。【解決手段】内部にキャビティ５を備える１対の金型３ａ，３ｂと、キャビティ５内に溶湯を供給する溶湯供給手段と、キャビティ５内を減圧する減圧手段と、金型３ａを貫通してキャビティ５に連通する第１の貫通孔１０と、押出ピン６と、押出ピン６に形成された環状溝部７に嵌着されたＯ−リング８とを備える。第１の貫通孔１０に連通する大径部１１と、大径部１１に気密に配設されたＯ−リング保持部材１２とを備え、Ｏ−リング保持部材１２は、第２の貫通孔１５と、第２の貫通孔１５から第１の貫通孔１０に向かって次第に拡径するテーパ孔部１６とを備える。Ｏ−リング８は、該減圧手段によりキャビティ５内が減圧されたときにはテーパ孔部１６に圧接し、押出ピン６がキャビティ５方向に移動したときに、テーパ孔部１６に対する圧接が解除される。【選択図】  図１
2006263797.tif 000002
【特許請求の範囲】
【請求項１】
内部に所定形状のキャビティを備える１対の金型と、該キャビティ内に溶湯を供給する溶湯供給手段と、該キャビティ内を減圧する減圧手段と、該金型を貫通して形成され該キャビティに連通する第１の貫通孔と、該第１の貫通孔に進退自在に備えられ該金型を開いたときに該キャビティ内に形成された製品を離型させる押出ピンと、該押出ピンの外周面に形成された環状溝部に嵌着されて該キャビティの気密を保持するＯ−リングとを備えるダイカスト装置において、
該第１の貫通孔に連通する大径部と、該大径部に気密に配設されたＯ−リング保持部材とを備え、
該Ｏ−リング保持部材は、該第１の貫通孔から離間して設けられ押出ピンが挿通される第２の貫通孔と、該第２の貫通孔と該第１の貫通孔との間に設けられ該第２の貫通孔から該第１の貫通孔に向かって次第に拡径するテーパ孔部とを備え、
該Ｏ−リングは、該減圧手段により該キャビティ内が減圧されたときには該テーパ孔部に圧接して該キャビティの気密を保持すると共に、該押出ピンが該キャビティ方向に移動したときに、該テーパ孔部に対する圧接が解除されることを特徴とするダイカスト装置。
【発明の詳細な説明】
【技術分野】
【０００１】
本発明は、自動車部品等のダイカスト製品の鋳造に用いられるダイカスト装置に関するものである。
【背景技術】
【０００２】
従来、自動車部品等のダイカスト製品の鋳造に用いられるダイカスト装置として、内部に所定形状のキャビティを備える１対の金型と、該キャビティ内に溶湯を供給する溶湯供給手段とを備える装置がある。前記装置では、比較的大型のダイカスト製品を鋳造する場合には、前記キャビティの周辺部に前記溶湯が十分に行き渡らず、巣が形成される傾向がある。そこで、前記キャビティ内を減圧する減圧手段を備え、前記溶湯を供給する前に該減圧手段により該キャビティ内を減圧することにより、該溶湯が該キャビティの周辺部まで十分に行き渡るようにした装置が知られている（例えば特許文献１参照）。
【０００３】
ところで、前記ダイカスト装置は、鋳造後に前記金型を開いたときに、前記キャビティ内に形成されたダイカスト製品を離型させるために、該キャビティ内に出没自在とされた押出ピンを備えている。前記押出ピンは、前記金型を貫通して形成され前記キャビティに連通する貫通孔に進退自在に備えられている。
【０００４】
前記押出ピンは、前記貫通孔の内周面に対して、２／１００〜６／１００ｍｍ（２０〜６０μｍ）の範囲のクリアランスを存して配設されている。前記クリアランスは、前記キャビティに供給される溶湯が漏出しないためには十分小さいが、前記キャビティ内を減圧する際に気密を保持するには不十分である。そこで、前記押出ピンの外周面にＯ−リングを嵌合し、該Ｏ−リングを前記貫通孔の内周面に圧接させることにより、該貫通孔から空気が漏洩することを防止して、前記キャビティの気密を保持するようにした装置が提案されている（例えば特許文献２参照）。
【０００５】
しかしながら、前記装置では前記Ｏ−リングは常に前記貫通孔の内周面に圧接されており、しかも前記押出ピンの進退に伴って前記貫通孔の内周面に沿って摺動するため劣化しやすく、装置の保守が煩雑になるという不都合がある。
【特許文献１】米国特許第２７８５４４８号明細書
【特許文献２】特開２００２−２３９７０７号公報
【発明の開示】
【発明が解決しようとする課題】
【０００６】
本発明は、かかる不都合を解消して、キャビティの気密を保持するためのＯ−リングの耐久性を向上させることができ、保守の容易なダイカスト装置を提供することを目的とする。
【課題を解決するための手段】
【０００７】
かかる目的を達成するために、本発明は、内部に所定形状のキャビティを備える１対の金型と、該キャビティ内に溶湯を供給する溶湯供給手段と、該キャビティ内を減圧する減圧手段と、該金型を貫通して形成され該キャビティに連通する第１の貫通孔と、該第１の貫通孔に進退自在に備えられ該金型を開いたときに該キャビティ内に形成された製品を離型させる押出ピンと、該押出ピンの外周面に形成された環状溝部に嵌着されて該キャビティの気密を保持するＯ−リングとを備えるダイカスト装置において、該第１の貫通孔に連通する大径部と、該大径部に気密に配設されたＯ−リング保持部材とを備え、該Ｏ−リング保持部材は、該第１の貫通孔から離間して設けられ押出ピンが挿通される第２の貫通孔と、該第２の貫通孔と該第１の貫通孔との間に設けられ該第２の貫通孔から該第１の貫通孔に向かって次第に拡径するテーパ孔部とを備え、該Ｏ−リングは、該減圧手段により該キャビティ内が減圧されたときには該テーパ孔部に圧接して該キャビティの気密を保持すると共に、該押出ピンが該キャビティ方向に移動したときに、該テーパ孔部に対する圧接が解除されることを特徴とする。
【０００８】
本発明のダイカスト装置では、前記金型を閉じることにより、該金型内部に前記キャビティが形成される。前記キャビティは、前記溶湯供給手段により溶湯が供給される前に、前記減圧手段により、内部が減圧される。
【０００９】
このとき、前記押出ピンは前記貫通孔内に没入されており、前記Ｏ−リングは前記Ｏ−リング保持部材のテーパ孔部に圧接されている。従って、前記Ｏ−リングにより、前記押出ピンと前記テーパ孔部との間隙がシールされており、前記Ｏ−リング保持部材は前記大径部にそれ自体気密に配設されているので、前記キャビティは内部が減圧されている間、気密が保持される。
【００１０】
次に、本発明のダイカスト装置では、減圧された前記キャビティ内に前記溶湯供給手段により溶湯が供給されて鋳造が行われる。そして、鋳造後、前記金型が開かれたときに、前記押出ピンが前記キャビティ方向に移動して該キャビティ内に突出することにより、該キャビティ内に形成された製品の離型が行われる。このとき、前記テーパ孔部は、前記第２の貫通孔から前記第１の貫通孔に向かって次第に拡径する形状となっているので、前記押出ピンが前記キャビティ方向に移動することにより、前記Ｏ−リングは前記テーパ孔部に対する圧接が解除される。
【００１１】
本発明によれば、前記Ｏ−リングは前記キャビティ内が減圧され、溶湯が供給されて鋳造が行われる間だけ前記テーパ孔部に圧接されており、それ以外のときには圧接が解除されているので、耐久性を向上させることができ、交換頻度を低減して装置の保守を容易にすることができる。
【発明を実施するための最良の形態】
【００１２】
次に、添付の図面を参照しながら本発明の実施の形態についてさらに詳しく説明する。図１は本実施形態のダイカスト装置の構成を示す説明的断面図であり、図２は図１に示すダイカスト装置の作動を示す説明的断面図である。
【００１３】
図１に示すように、本実施形態のダイカスト装置は、プラテン１に装着された可動型本体２ａと、可動型本体２ａに対向して設けられた固定型本体２ｂとを備える。可動型本体２ａは、固定型本体２ｂ側に入れ子３ａを備え、入れ子３ａにはダイカスト製品の外形に沿う形状の凹部４ａが形成されている。また、固定型本体２ｂは、可動型本体２ａ側に入れ子３ｂを備え、入れ子３ｂにはダイカスト製品の外形に沿う形状の凹部４ｂが形成されている。そして、可動型本体２ａと固定型本体２ｂとが閉じられたときに、凹部４ａ，４ｂによりキャビティ５が形成されるようにされている。
【００１４】
固定型本体２ｂには、キャビティ５に溶湯を供給する溶湯供給手段（図示せず）と、キャビティ５内を減圧する減圧手段（図示せず）とが設けられている。前記溶湯供給手段は、湯道、ランナ、ゲート等から構成されており、前記減圧手段は例えば真空ポンプ等により構成されている。
【００１５】
一方、可動型本体２ａには、可動型本体２ａと固定型本体２ｂと開いたときに、キャビティ５内に形成された製品を離型させる押出ピン６が２か所に備えられている。押出ピン６は、可動型本体２ａと入れ子３ａとを貫通して備えられ、入れ子３ａを貫通する部分の外周面に設けられた環状溝部７にＯ−リング８が嵌合されている。
【００１６】
押出ピン６は、具体的には、可動型本体２ａに形成された本体貫通孔９と、入れ子３ａに形成されキャビティ５に連通する入れ子貫通孔１０と、本体貫通孔９、入れ子貫通孔１０間の大径部１１に気密に配設されたＯ−リング保持部材１２とに挿通されている。このとき、押出ピン６と入れ子貫通孔１０の内周面との間には、２／１００〜６／１００ｍｍの範囲のクリアランスがある。また、押出ピン６は、プラテン１と可動型本体２ａとの間の空間１３に設けられたエジェクタプレート１４ａ，１４ｂに保持されて、進退自在とされている。
【００１７】
Ｏ−リング保持部材１２は、入れ子貫通孔１０と離間する側に設けられ本体貫通孔９と連通する保持部材貫通孔１５と、保持部材貫通孔１５側から入れ子貫通孔１０側に向かって次第に拡径するテーパ孔部１６とを備えている。そして、押出ピン６の先端部が入れ子貫通孔１０内に没入されているときには、Ｏ−リング８がテーパ孔部１６に圧接されている。
【００１８】
エジェクタプレート１４ａ，１４ｂは一体的に構成されており、プラテン１と可動型本体２ａとの間に設けられたガイドピン１７に沿って進退自在に備えられている。エジェクタプレート１４ａは、プラテン１側にスペーサ１８を備え、スペーサ１８がプラテン１に当接することにより、押出ピン６の先端部が入れ子貫通孔１０内に没入されて、キャビティ５に臨む位置に位置決めされるようになっている。また、エジェクタプレート１４ａ，１４ｂは、エジェクタプレート１４ｂがガイドピン１７の台座１７ａに当接することにより、可動型本体２ａ方向への移動が規制されるようになっている。
【００１９】
次に、本実施形態のダイカスト装置の作動について説明する。
【００２０】
本実施形態のダイカスト装置では、まず、図１に示すように、可動型本体２ａと固定型本体２ｂとが閉じられ、入れ子３ａ，３ｂの凹部４ａ，４ｂによりキャビティ５が形成される。このとき、押出ピン６は、エジェクタプレート１４ａ，１４ｂによりプラテン１方向に移動せしめられて、先端部が入れ子貫通孔１０内に没入している。押出ピン６は、エジェクタプレート１４ａに取着されたスペーサ１８がプラテン１に当接することにより、先端部が位置決めされる。尚、押出ピン６と、入れ子貫通孔１０の内周面との間には、２／１００〜６／１００ｍｍの範囲のクリアランスが設けられている。
【００２１】
次に、キャビティ５が形成された状態で、図示しない減圧手段によりキャビティ５内が減圧される。前記のように減圧されるとき、押出ピン６と入れ子貫通孔１０の内周面との間に前記クリアランスがあると、前記クリアランスを介して空気の流通が可能であるため、キャビティ５内の真空度が上がらないことが懸念される。
【００２２】
そこで、本実施形態のダイカスト装置では、入れ子貫通孔１０と本体貫通孔９との間に大径部１１を設けると共に、大径部１１にＯ−リング保持部材１２を気密に配設し、押出ピン６の外周面に嵌合されたＯ−リング８がＯ−リング保持部材１２のテーパ孔部１６の内周面に圧接するようにしている。このとき、押出ピン６は、前述のようにエジェクタプレート１４ａ，１４ｂにより、プラテン１方向に移動せしめられているので、Ｏ−リング８がテーパ孔部１６に圧接される。
【００２３】
この結果、Ｏ−リング８により押出ピン６とＯ−リング保持部材１２との間の気密が保持され、Ｏ−リング保持部材１２はそれ自体入れ子３ａの大径部１１との間で気密を保持するようにされているので、キャビティ５の気密を保持することができ、所定の真空度を得ることができる。
【００２４】
次に、キャビティ５内が所定の真空度に減圧されたならば、図示しない溶湯供給手段により、キャビティ５内に溶湯が供給される。キャビティ５内は、前記のように減圧されているので、前記溶湯はキャビティ５の周辺部まで十分に行き渡り、キャビティ５内に充填される。尚、押出ピン６と入れ子貫通孔１０の内周面との間の前記クリアランスは、前記溶湯が侵入するには十分に小さな範囲に設定されており、該クリアランスに該溶湯が侵入することはない。前記溶湯の充填後、所定時間保持することにより、前記溶湯が冷却されて固化し、キャビティ５内に所望のダイカスト製品が得られる。
【００２５】
次に、前記溶湯が固化して前記ダイカスト製品が形成されたならば、図２に示すように、可動型本体２ａと固定型本体２ｂとを型開きし、該ダイカスト製品（図示せず）が離型されて取出される。前記ダイカスト製品の離型は、エジェクタプレート１４ａ，１４ｂにより押出ピン６を凹部４ａ方向に移動させ、押出ピン６の先端部を凹部４ａ内に突出させることにより行われる。押出ピン６の先端部の突出の程度は、エジェクタプレート１４ｂがガイドピン１７の台座１７ａに当接することにより規制される。
【００２６】
前述のように押出ピン６が凹部４ａ方向に移動されると、押出ピン６の外周面に設けられた環状溝部７に嵌合されているＯ−リング８もまた凹部４ａ方向に移動される。このとき、Ｏ−リング保持部材１２のテーパ孔部１６は、保持部材貫通孔１５側から入れ子貫通孔１０側に向かって次第に拡径する形状となっているので、Ｏ−リング８は凹部４ａ方向に移動されることにより、テーパ孔部１６との圧接が解除され、フリーになる。そして、次回の鋳造のために、可動型本体２ａと固定型本体２ｂとが閉じられるまで、Ｏ−リング８とテーパ孔部１６との圧接が解除された状態が維持される。
【００２７】
上述のように、本実施形態のダイカスト装置では、Ｏ−リング８は、可動型本体２ａと固定型本体２ｂとが閉じられている間のみテーパ孔部１６の内周面に圧接されており、可動型本体２ａと固定型本体２ｂとが開かれている間は前記圧接が解除されている。また、テーパ孔部１６は、保持部材貫通孔１５側から入れ子貫通孔１０側に向かって次第に拡径する形状となっているので、凹部４ａ方向に移動されるＯ−リング８がテーパ孔部１６の内周面に沿って摺動することもない。この結果、可動型本体２ａと固定型本体２ｂとが開かれている間、Ｏ−リング８は実質的に外力が作用していない状態となっている。
【００２８】
従って、本実施形態のダイカスト装置によれば、Ｏ−リング８の耐久性を向上させて、Ｏ−リング８の劣化による交換頻度を低減することができ、装置の保守を容易にすることができる。
【００２９】
尚、本実施形態では、押出ピン６を２か所に設ける例を示しているが、押出ピン６はさらに多数か所に設けられていてもよい。
【図面の簡単な説明】
【００３０】
【図１】本発明のダイカスト装置の一構成例を示す説明的断面図。
【図２】図１に示すダイカスト装置の作動を示す説明的断面図。
【符号の説明】
【００３１】
３ａ，３ｂ…金型、  ５…キャビティ、  ６…押出ピン、  ７…環状溝部、  ８…Ｏ−リング、  １０…第１の貫通孔、  １１…大径部、  １２…Ｏ−リング保持部材、  １５…第２の貫通孔、  １６…テーパ孔部。
【図１】
2006263797.tif 000003
【図２】
2006263797.tif 000004